(57)【要約】【課題】リテーナの緩みを防止することができるコネクタを提供することである。【解決手段】ハウジング５のコンタクト挿入孔５１に挿入された雌コンタクト３の抜けを阻止するリテーナ７に、少なくともコンタクト挿入孔５１に挿入された雌コンタクト３の接触部３３をハウジング５の前側へ逃がす逃がし孔７１を形成するとともに、雌コンタクト３の接触部３３に挿入された雄コンタクト２１の先端側部分を受け容れる通し孔７２を形成した。【選択図】図１
2007134217.tif 000002
【特許請求の範囲】
【請求項１】
ケーブルに結合される結線部と、雄コンタクトを受け容れる接触部とを有する雌コンタクトと、
前記雌コンタクトが挿入される孔を有するハウジングと、
前記ハウジングに前記孔とほぼ直交するように形成された穴に挿入され、前記孔に挿入された前記雌コンタクトの抜けを阻止するリテーナと
を備えているコネクタにおいて、
少なくとも前記ハウジングの前記孔に挿入された前記雌コンタクトの前記接触部を前記ハウジングの前側へ逃がす逃がし孔が前記リテーナに形成され、
前記雌コンタクトの前記接触部に挿入された前記雄コンタクトの先端側部分を受け容れる受容部が前記リテーナに形成されている
ことを特徴とするコネクタ。
【請求項２】
前記受容部が、前記雌コンタクトの前記接触部に挿入された前記雄コンタクトの先端側部分を前記結線部側へ逃がす通し孔であることを特徴とする請求項１記載のコネクタ。
【請求項３】
前記接触部の中心軸とこれに平行な前記結線部の中心軸とがその中心軸とほぼ直交する方向へずれていることを特徴とする請求項２記載のコネクタ。
【発明の詳細な説明】
【技術分野】
【０００１】
この発明はコネクタに関し、特にリテーナによって雌コンタクトをハウジングの孔内に係止するコネクタに関する。
【背景技術】
【０００２】
従来、端子金具（雌コンタクト）とハウジングとリテーナとからなるコネクタが知られている（下記特許文献１参照）。
【０００３】
端子金具は、相手雄端子（雄コンタクト）と導通接続可能な本体部（接触部）と電線（ケーブル）を圧接接続可能な圧接部（結線部）とを有する。
【０００４】
ハウジングは複数のキャビティ（孔）を有する。複数のキャビティはそれぞれハウジングの後方から端子金具を受け容れる。
【０００５】
ハウジングの下面には、下方からリテーナを取付可能なリテーナ取付孔（穴）が設けられている。
【０００６】
リテーナはリテーナ取付孔に装着され、端子金具の本体部の後端と係合し、端子金具をキャビティ内に係止する。
【特許文献１】特開平２００３−７３８４号公報（段落００１５〜００１７、図１参照）
【発明の開示】
【発明が解決しようとする課題】
【０００７】
上述のコネクタでは、リテーナ取付孔に装着されたリテーナが振動や外力によって緩み、雌コネクタとリテーナとの係合が解かれ、雌コネクタがハウジングから脱落する虞がある。特に、自動車に搭載されたコネクタは振動や外力を受ける機会が多く、リテーナが緩みやすかった。
【０００８】
この発明はこのような事情に鑑みてなされたもので、その課題はリテーナの緩みを防止することができるコネクタを提供することである。
【課題を解決するための手段】
【０００９】
前述の課題を解決するため請求項１の発明は、ケーブルに結合される結線部と、雄コンタクトを受け容れる接触部とを有する雌コンタクトと、前記雌コンタクトが挿入される孔を有するハウジングと、前記ハウジングに前記孔とほぼ直交するように形成された穴に挿入され、前記孔に挿入された前記雌コンタクトの抜けを阻止するリテーナとを備えているコネクタにおいて、少なくとも前記ハウジングの前記孔に挿入された前記雌コンタクトの前記接触部を前記ハウジングの前側へ逃がす逃がし孔が前記リテーナに形成され、前記雌コンタクトの前記接触部に挿入された前記雄コンタクトの先端側部分を受け容れる受容部が前記リテーナに形成されていることを特徴とする。
【００１０】
上述のように雌コンタクトの接触部に雄コンタクトが挿入されると、雄コンタクトの先端側部分はリテーナの受容部に入り込む。これにより、リテーナは雄コンタクトによって係止される。
【００１１】
請求項２の発明は、請求項１記載のコネクタにおいて、前記受容部が、前記雌コンタクトの前記接触部に挿入された前記雄コンタクトの先端側部分を前記結線部側へ逃がす通し孔であることを特徴とする。
【００１２】
上述のように受容部が通し孔であるので、雄コンタクトの先端側部分を雌コンタクトの結線部側へ逃すことができる。したがって、雄コンタクトの長さを長くして雌コンタクトと雄コンタクトとの接触ストロークを長くすることができる。
【００１３】
請求項３の発明は、請求項２記載のコネクタにおいて、前記接触部の中心軸とこれに平行な前記結線部の中心軸とがその中心軸とほぼ直交する方向へずれていることを特徴とする。
【００１４】
上述のように接触部の中心軸とこれに平行な結線部の中心軸とがその中心軸とほぼ直交する方向へずれているので、接触部を通過した雄コンタクトの先端側部分と結線部との干渉を避けることができる。この結果、雌コンタクトの強度を維持しつつ、接触部と結線部との間に雄コンタクトの先端側部分を受容するスペースを確保することができる。
【発明の効果】
【００１５】
以上説明したようにこの発明のコネクタによれば、リテーナの緩みを防止することができる。
【発明を実施するための最良の形態】
【００１６】
以下、この発明の実施の形態を図面に基づいて説明する。
【００１７】
図１はこの発明の一実施形態に係る雌型コネクタと雄型コネクタとの嵌合状態を示す断面図、図２は図１に示す雌コンタクトと雄コンタクトとの接触状態を示す破断面図、図３Ａは図１に示すリテーナを斜め前方から見たときの斜視図、図３Ｂは図１に示すリテーナの一端部を切断した状態を斜め前方から見たときの斜視図、図３Ｃは図１に示すリテーナを斜め後方から見たときの斜視図、図４Ａは組立途中の雌型コネクタの断面図、図４Ｂは組立完了状態の雌型コネクタの断面図である。図１、２、４Ａ、４Ｂ中、雌コンタクト３は破断面図として描かれている。
【００１８】
図１に示すように、この雌型コネクタ１は図示しないプリント基板に実装される雄型コネクタ２１に接続される。
【００１９】
雄型コネクタ２１は複数の雄コンタクト２３とハウジング２５とを備える。
【００２０】
雄コンタクト２３はほぼＬ字形のピン状であり、接触部２３ａと固定部２３ｂとプレスフィット部２３ｃと結合部２３ｄとを有する。接触部２３ａの長さは通常の雄コンタクトの接触部よりも長く、後述の雌コンタクト３の接触部３３の長さよりも長い。固定部２３ｂは接触部２３ａに連なる。プレスフィット部２３ｃはプリント基板のスルーホールに圧入される。結合部３４は固定部２３ｂとプレスフィット部２３ｃとを結合する。雄コンタクト２３の材料としては例えば黄銅が適する。
【００２１】
ハウジング２５はほぼ筐体状であり、受容部２５ａと複数（この実施形態では２２）の通孔２５ｂとを有する。受容部２５ａは雄型コネクタ１を受容する。通孔２５ｂはハウジング２５の後壁２５ｃに形成され、雄コンタクト２３の固定部２３ｂを受け容れて保持する。２２の通孔２５ｂの半分はハウジング２５の後壁２５ｃの上部に一定ピッチで配列され、残りの半分はハウジング２５の後壁２５ｃの下部に同ピッチで配列されている。ハウジング２５の材料としては、例えば３０％ガラス入りＳＰＳ（シンジオタクチックポリエスチレン）が適する。
【００２２】
雄型コネクタ１は複数の雌コンタクト３とハウジング５とリテーナ７とを備える。
【００２３】
雌コンタクト３は図２に示すように結線部３１と接触部３３と結合部３４とを有する。雌コンタクト３は１枚の導電性金属板に打抜き加工及び曲げ加工を施すことによって形成される。雌コンタクト３の材料としては例えば銅合金が適する。
【００２４】
結線部３１はケーブル９に電気的に接続される。結線部３１は被覆カシメ部分３１ａと芯線圧着部分３１ｂとを有する。被覆カシメ部分３１ａ及び芯線圧着部分３１ｂの断面形状はほぼハート型である。被覆カシメ部分３１ａの中心軸Ｓ１とこれに平行な接触部３３の中心軸Ｓ２とが中心軸Ｓ１，Ｓ２とほぼ直交する方向へずれている。
【００２５】
接触部３３はほぼ角筒状であり、雄コンタクト２１の接触部３３を受け容れる。接触部３３は第１弾性接触片３３ａと第２弾性接触片３３ｂと弾性片３３ｃと切起し片３３ｄとを有する。第１弾性接触片３３ａは接触部３３の上面（図１に示す雌コンタクト３の姿勢を基準にする）から接触部３３の中心軸Ｓ２に向かって斜めに延びている。第２弾性接触片３３ｂは中心軸Ｓ２とほぼ平行に延び、第１弾性接触片３３ａと共働して雄コンタクト２３を上下から挟む。弾性片３３ｃは第１弾性接触片３３ａに沿うように延び、第１弾性接触片３３ａと一体に弾性変形する。切起し片３３ｄは接触部３３の下面から斜め下方へ突出するように切り起されている。
【００２６】
結合部３４は結線部３１と接触部３３とを結合する。結合部３４の断面形状はほぼ逆Ｕ字状であり、結合部３４の下部には切欠き３４ａが形成されている。
【００２７】
ハウジング５はほぼ筐体状であり、複数（この実施形態では２２）のコンタクト挿入孔（孔）５１とリテーナ挿入穴（穴）５２とを有する。２２のコンタクト挿入孔５１の半分はハウジング５の上部に一定ピッチで配列され、残りの半分はハウジング５の下部に同ピッチで配列されている。コンタクト挿入孔５１にはハウジング５の後面から雌コンタクト３が挿入される。リテーナ挿入穴５２はハウジング５の下面に複数のコンタクト挿入孔５１とほぼ直交するように形成されている。リテーナ挿入穴５２にはハウジング５の下からリテーナ７が挿入される。
【００２８】
ハウジング５の下壁５３及び仕切壁５４にはそれぞれ複数のランス５５が形成されている。ランス５５は片持ち梁状で、弾性変形可能である。ランス５５の一部はコンタクト挿入孔５１内へ僅かに突出している。
【００２９】
ハウジング５の前面には複数（雄コンタクト２３と同数）の雄コンタクト挿入孔５６が形成されている。雄コンタクト挿入孔５６はコンタクト挿入孔５１に通じている。
【００３０】
ハウジング５の材料としてはＰＢＴ（ポリプチレンテレフタレート）が適する。
【００３１】
リテーナ７は図３Ａ及び図３Ｂに示すように、複数（雌コンタクト３と同数）の逃がし孔７１と複数（雄コンタクト２３と同数）の通し孔（受容部）７２とを有する。逃がし孔７１はリテーナ７の上部に等間隔に形成されている。逃がし孔７１は雌型コネクタ１の組立作業の際にコンタクト挿入孔５１に挿入された雌コンタクト３の接触部３３をハウジング５の前側へ逃がす。通し孔７２はリテーナ７の下部に等間隔に形成されている。通し孔７２は逃がし孔７１に隣接し、通し孔７２の数は逃がし孔７１の数と同数である。通し孔７２は雌コンタクト３の接触部３３に挿入された雄コンタクト２３の接触部２３ａの先端側部分を結線部３１側へ逃がす。通し孔７２の内孔は接触部２３ａの外径よりもわずかに大きい。
【００３２】
リテーナ７の両側面にはそれぞれ第１の突起７３、第２の突起７４及び第３の突起７５が形成されている。
【００３３】
リテーナ７の背面には図３Ｃに示すように、２つの第４の突起７６と２つの穴７７とが形成されている。第４の突起７６と穴７７とは互いに隣接する。
【００３４】
リテーナ７の材料としては、例えば３０％ガラス入りＰＢＴ（ポリプチレンテレフタレート）が適する。
【００３５】
雌型コネクタ１を組み立てるには、予め雌コンタクト３にケーブル９を結線しておく。ケーブル９を雌コンタクト３に結線するには、まず、ケーブル９の一端部の被覆９ａを切除して芯線９ｂを露出させる（図２参照）。次に、芯線９ｂを芯線圧着部分３１ｂに通すとともに、被覆９ａの一端部を被覆カシメ部分３１ａに通す。その後、芯線圧着部分３１ｂ及び被覆カシメ部分３１ａをかしめる。以上により、ケーブル９が結線部３１に結線される。
【００３６】
次に、図４Ａに示すように、リテーナ７をハウジング５のリテーナ挿入穴５２に挿入する。リテーナ７のほぼ半分が挿入されたとき（図４Ａに示す状態）第１の突起７３がリテーナ挿入穴５２の内面に形成した嵌合穴（図示せず）に嵌る。この状態では、リテーナ７の逃がし孔７１は下段のコンタクト挿入孔５１に一致するため、リテーナ７はコンタクト挿入孔５１の途中を遮断しない。また、リテーナ７の上壁７８は上段のコンタクト挿入孔５１に達っしていない。
【００３７】
その後、コンタクト挿入孔５１に雌コンタクト３を挿入する。雌コンタクト３が所定位置まで挿入されると、雌コンタクト３の切起し片３３ｄがハウジング５のランス５５と係合し、雌コンタクト３がハウジング５にロックされる。
【００３８】
全ての雌コンタクト３をコンタクト挿入孔５１に挿入し終えたら、リテーナ７を押し込む。その結果、第１の突起７３が嵌合孔から出て、代わりに第２の突起７４が嵌合孔に嵌り、また、第３の突起７５がリテーナ挿入孔５２に圧入され、更に、第４の突起７６がコンタクト挿入孔５１の内面に係合する。
【００３９】
以上の結果、リテーナ７はハウジング５に係止され、雌型コネクタ１の組立作業が完了する。
【００４０】
このとき、図４Ｂに示すように、リテーナ７の上壁７８は上段の雌コンタクト３の結合部３４の切欠き３４ａに嵌合し、リテーナ７の仕切り壁７９は下段の雌コンタクト３の結合部３４の切欠き３４ａに嵌合する。雌コンタクト３はリテーナ７によってコンタクト挿入孔５１から抜けない。
【００４１】
リテーナ７の逃がし孔７１及び通し孔７２に雄コンタクト２３の接触部２３ａを通すことにより、すなわち、逃がし孔７１、通し孔７２の一部を構成する壁部分を雌コンタクト３と雄コンタクト２３とで挟む構成なのでリテーナ７は緩まなくなる。
【００４２】
この実施形態では、上述のように、リテーナ７の通し孔７２に雄コンタクト２３の接触部２３ａを通すようにするとともに、接触部３３の中心軸Ｓ２に結線部３１の中心軸Ｓ１を偏芯させることによって雄コンタクト２３の接触部２３ａの受容スペースを確保したので、結合部３４の強度を保ったまま、リテーナ７の緩みを防止することができる。
【００４３】
また、この実施形態では、受容部として雌コンタクト３の接触部３３に挿入された雄コンタクト２１の先端側部分を結線部３１側へ逃がす通し孔７２を採用したので、雌コンタクト３と雄コンタクト２３との間の接触ストローク（両コネクタ１，２１を嵌合したときの雄コンタクト２３の接触部２３ａの先端から雌コンタクト３の接触部３３の第１弾性接触片３３ａ，第２弾性接触片３３ｂの接点までの距離）が長くなり、接触信頼性が向上する。
【００４４】
なお、受容部として、通し孔７２に代えて非貫通穴を採用してもよい。すなわち、雄コンタクト３の先端部分は必ずしもリテーナ７を貫通する必要はない。
【００４５】
また、結線部３１を必ずしも接触部３３に対して偏芯させる必要はない。
【００４６】
なお、この実施形態では、リテーナ７に第３の突起７５、第４の突起７６を設け、これらに対応する嵌合穴をハウジング５に設けたが、必ずしもこの構造を採用する必要はない。
【図面の簡単な説明】
【００４７】
【図１】図１はこの発明の一実施形態に係る雌型コネクタと雄型コネクタとの嵌合状態を示す断面図である。
【図２】図２は図１に示す雌コンタクトと雄コンタクトとの接触状態を示す破断面図である。
【図３Ａ】図３Ａは図１に示すリテーナを斜め前方から見たときの斜視図である。
【図３Ｂ】図３Ｂは図１に示すリテーナの一端部を切断した状態を斜め前方から見たときの斜視図である。
【図３Ｃ】図３Ｃは図１に示すリテーナを斜め後方から見たときの斜視図である。
【図４Ａ】図４Ａは組立途中の雌型コネクタの断面図である。
【図４Ｂ】図４Ｂは組立完了状態の雌型コネクタの断面図である。
【符号の説明】
【００４８】
１  雌型コネクタ
３  雌コンタクト
３１  結線部
３３  接触部
５  ハウジング
５１  コンタクト挿入孔（孔）
５２  リテーナ挿入穴（穴）
７  リテーナ  
７１  逃がし孔
７２  通し孔（受容部）
９  ケーブル
２１  雄型コネクタ
２３  雄コンタクト
【図１】
2007134217.tif 000003
【図２】
2007134217.tif 000004
【図３Ａ】
2007134217.tif 000005
【図３Ｂ】
2007134217.tif 000006
【図３Ｃ】
2007134217.tif 000007
【図４Ａ】
2007134217.tif 000008
【図４Ｂ】
2007134217.tif 000009